(57)【要約】【課題】  カメラを把持した撮影者自身が被写体となって撮影を行う撮影モードにおいても、多点測距時の主被写体選択を適切に行う。【解決手段】  カメラを把持した撮影者自身を撮影するための（自分撮影モード）モードを設定するスイッチと多点測距部を備えたカメラにおいて、多点測距部よりの複数の測距値の中の主被写体選択基準を上記自分撮影モードの有無に応じて切替えることで適切な主被写体までの距離を選択する。【選択図】  図３
2010066453.tif 000002
【特許請求の範囲】
【請求項１】
カメラを把持した撮影者自身を撮影するためのモード設定を行うためのモードスイッチと、
異なる複数の位置に向けて測距を行う多点測距部と、
上記多点測距部から得られた複数の測距値のうち主被写体である可能性の高い測距値を選択するための主被写体選択部
を備えたカメラにおいて
上記主被写体選択部の主被写体を選択するための選択基準を上記モードスイッチの状態に応じて切り替えが可能であることを特徴とするカメラ。
【発明の詳細な説明】
【技術分野】
【０００１】
本発明は、カメラを把持した撮影者自身が被写体となる場合に適した測距装置を備えたカメラである。
【背景技術】
【０００２】
カメラの撮影に於いて通常の場合は、撮影者がファインダーを覗き、被写体の構図を選択しシャッタレリーズを行うようにしている。
【０００３】
また、カメラを把持している撮影者がカメラを撮影者自身に向けて撮影が行われることもある。
【０００４】
後者の撮影に関する発明として、特開平１１−３０５２９３が開示されている。
【０００５】
上記発明では、カメラを把持した撮影者自身を撮影するのに適した撮影条件を設定する撮影モード（以下自分撮影モード）を備えており、このカメラは撮影レンズの焦点距離を変更可能なカメラであって、該撮影モード時では、撮影レンズの焦点距離を広角側に対応する焦点距離にして適正な画角に設定したり、撮影レンズの絞り値を小さくして被写界深度を深くしてピンボケの軽減するなどの工夫がなされている。
【０００６】
ところで上記発明によれば、カメラに備えられた測距装置で測距した際に、測距点主被写体の後部に抜けてしまった場合は撮影距離を近距離に設定して撮影が行われている。
【０００７】
該近距離とはカメラを把持した撮影者が腕を伸ばして自身を撮影したと仮定すると、撮影距離はほぼ腕の長さに対応するように設定されている。
【０００８】
撮影者の腕の長さは、個体差があり特に大人と子供とでは３０〜４０ｃｍ程度の違いがあるため、たとえ撮影レンズの絞り値を小さくしてもピンボケは軽減するが、ピントの合ったシャープな写真を常に得るのは困難である。
【０００９】
このようにボケ気味な写真を更に減らしていく為には測距ポイントを複数設けた多点測距装置を備えることが考えられる。
【００１０】
これは主被写体に測距点の何れかが当るようにすることで測距結果を撮影情報として反映できるので上記のようなボケ気味の写真を減らして合焦頻度を向上することができる。
【００１１】
図５は多点測距装置の構成を説明したブロック図である。
【００１２】
同図において５１は測距対象に向けて光束を投光する発光素子であって、該素子は３つの発光部５１ａ、５１ｂ、５１ｃから構成されている。また発光素子５１はたとえば赤外発光素子（ＩＲＥＤ）であったり、ＬＥＤである。該投光素子５１は、ＣＰＵ５８と投光駆動部５７により制御されている。
【００１３】
５４は受光素子であり、これはＰＳＤのような光電変換素子である。発光素子５４は３つの受光部５４ａ、５４ｂ、５４ｃから構成されており、これらはそれぞれ投光部５１ａ、５１ｂ、５１ｃからの投光光束が投光用レンズ５２、測距対象物Ｔ、受光用レンズ５３を経て受光される。受光素子５４の出力は測距演算部５５により周知の三角測量の原理に基づき３つの距離に応じた測距値をそれぞれについて演算し、主被写体選択部５６により上記複数の測距値の中で最も主被写体であるとされる値を１つ選択している。
【００１４】
ＣＰＵ５８は投光素子５１、投光駆動部５７、受光素子５４、測距演算部５５並びに主被写体選択部５６のそれぞれの動作を制御している。
【００１５】
図６は多点測距装置の測距動作を説明したフローチャートである。
【００１６】
同図においてステップ６０１で、投光部５１ｂと受光部５４ｂの組み合わせによる測距を行う（中央測距とする）。次にステップ６０２で、投光部５１ｃと受光部５４ｃの組み合わせによる測距を行い（左測距とする）、更にステップ６０３で投光部５１ａと受光部５４ａの組み合わせによる測距を行う（右測距とする）。
【００１７】
ステップ６０１〜６０３で得られた３つの測距値のうち最も主被写体である確率の高い測距値をステップ６０４で選択する。
【００１８】
該ステップ６０４で行われる主被写体を選択するための考え方の一例としては、図７を使って説明する。
【００１９】
図７は主被写体の選択基準を決定するために、それぞれの測距点における測距値に対するその測距値が主被写体である確率をグラフ化したものである。尚、該測距値に対する主被写体である確率は例えば数多くの実写写真より経験的に導き出されたものである。
【００２０】
ステップ６０４ではこの図から、導き出された測距値に対応した上記確率をそれぞれの測距点について求め、この中で最も確率の高い測距値を主被写体としている。
【００２１】
例えば中央測距の測距値が２．５ｍ、右測距の結果が１．７ｍ、左測距の結果が５ｍであった場合、主被写体である確率は図７よりそれぞれ６１、５１、３１であるため主被写体は中央の２．５ｍとしている。
【００２２】
また図７においては、中央測距の測距値が撮影常用距離（例えば３ｍ〜１０ｍ程度）であり、右または左の測距点のいずれか一方の測距値が比較的近い距離（例えば０．８ｍよりも近い距離）であった場合、該比較的近い測距値を示した距離には障害物が存在することが多い為、これを主被写体として選択しないように、左または右の測距点における近距離での主被写体である確率を極力小さくしている（図７では０としている）
【特許文献１】特開平11-305293号公報
【発明の開示】
【発明が解決しようとする課題】
【００２３】
しかしながら上記のような主被写体の選択基準を自分撮影モード時に適用した場合、図８のように、右または左の測距点の何れかが撮影したい被写体を測距し、中央の測距点は背景を測距したとすると、図７によれば中央の測距値を主被写体と認識してしまうためぼけた写真となってしまう。
【００２４】
本発明の目的は、自分撮影モードにおいて多点測距を行い、できるだけ主被写体に測距点の何れかが当るようにし、多点測距の複数の測距値から主被写体の選択を適切に行うことにより、よりシャープな写真を提供するものである。
【課題を解決するための手段】
【００２５】
上記課題を解決するために、本発明に係るカメラは、カメラを保持した撮影者自身を撮影するためのモード設定を行うためのモードスイッチと、異なる複数の位置に向けて測距を行う多点測距部と、上記多点測距部から得られた複数の測距値のうち主被写体である可能性の高い測距値を選択するための主被写体選択部を備えたカメラにおいて、上記被写体選択部の主被写体を選択するための選択基準を上記モードスイッチの状態に応じて切り替えが可能であることを特徴とする。
【００２６】
[作用]
以上のカメラの測距装置によれば、自分撮影モード時とそれ以外の撮影モード時における多点測距の主被写体選択基準をそれぞれ独立して備え、これを撮影モードに応じて切り替えることにより、撮影モードが変更されることで起こり得た主被写体選択の誤選択によるピンボケ写真を無くすことができる。
【発明の効果】
【００２７】
以上説明したように、本発明によれば、自分撮影モード時とそれ以外の撮影モード時における多点測距の主被写体選択基準をそれぞれ独立して備え、これを撮影モードに応じて切り替えることにより、撮影モードが変更されてもそれぞれのモードに合った主被写体選択が可能となり合焦頻度が向上する。
【発明を実施するための最良の形態】
【００２８】
次に、本発明の詳細を実施例の記述に従って説明する。
【００２９】
以下に本発明の実施例の形態を図面を参照して説明する。
【実施例１】
【００３０】
図１は本実施例に係るカメラの構成を説明したブロック図であり、図中の１は後述する各駆動系、測量系並びに操作系を制御するためのＣＰＵ、２は被写体の明るさを測定するための測光部、３は被写体までの距離を測定するための測距部であり、本発明に於いて該測距部は複数の測距点を備えておりこれら複数の測距点から得られた測距値のうち主被写体とされる測距値を選択するものである。４は不図示の撮影レンズを上記測距部よりの測距情報をもとに駆動させるレンズ駆動部、５は不図示の撮影フィルムを撮影毎に自動的に巻き上げるためのフィルム給送部、６はレリーズスイッチであり、このスイッチが入ることで撮影動作が開始される。最後に７はカメラを把持した撮影者自身を撮影するのに適した撮影条件を設定するための自分撮影モードスイッチである。このモードにおける上記撮影条件とは、特開平１１−３０５２９３にあるように、不図示の撮影レンズの焦点距離をより広角側に自動設定し被写体が撮影フィルムの画角から外れないようにしたり、フィルム露光のための絞り値を通常の撮影モードより大きくして被写界深度でピンボケの度合いを軽減したりすることである。
【００３１】
次に図１のカメラの動作を図２のフローチャートを使って説明する。
【００３２】
同図においてステップ２０１で自分撮影モードスイッチ７の状態をみており、該スイッチがＯＦＦの時（通常撮影モード）は撮影モードの識別子としてステップ２０２でｆｌａｇを“０”とし、ＯＮの時（自分撮影モード）はステップ２１０でｆｌａｇを“１”とする。このｆｌａｇによって撮影モードの状態を識別している。
【００３３】
ステップ２０３はレリーズスイッチ６の状態を見ており、該スイッチがＯＦＦの時はレリーズスイッチ待機状態となり、該スイッチがＯＮ状態になるまでステップ２０１→ステップ２０２（またはステップ２１０）→ステップ２０３を繰り返す。レリーズスイッチ６がＯＮ状態である場合は、ステップ２０４に進み測距部３で多点測距を行い測距対象までの距離を測定し、ステップ２０５で測光部２により被写体の明るさを測定し、ステップ２０６で上記測距部３より得た主被写体までの距離に応じた不図示の撮影レンズの繰り出しを行い、ステップ２０７で不図示の撮影フィルムを測光部２より得た情報をもとに適正露出になるように露出制御し、ステップ２０８で上記撮影レンズをもとの位置に戻し、ステップ２０９で上記撮影フィルムを１駒分巻き上げ撮影フィルム１駒分の撮影が終了する。
【００３４】
この後、再びステップ２０１へ進み撮影待機状態に入る。
【００３５】
ここで図１のカメラにおける測距部３の動作を図３と図４を使って説明する。
【００３６】
図３は図１における測距部３の構成を説明したブロック図である。
【００３７】
同図において３１は測距対象に向けて光束を投光する発光素子であって、該素子は３つの発光部３１ａ、３１ｂ、３１ｃから構成されている。また発光素子３１はたとえば赤外発光素子（ＩＲＥＤ）であったり、ＬＥＤである。該投光素子３１は、ＣＰＵ１と投光駆動部３９により制御されている。
【００３８】
３４は受光素子であり、これは例えばＰＳＤのような光電変換素子である。受光素子３４は３つの受光部３４ａ、３４ｂ、３４ｃから構成されており、これらはそれぞれ投光部３１ａ、３１ｂ、３１ｃからの投光光束が投光用レンズ３２、測距対象物Ｔ、受光用レンズ３３を経て受光される。受光素子３４の出力は測距演算部３５により周知の三角測量の原理に基づき３つの距離に応じた測距値をそれぞれについて演算し、これら複数の測距値は主被写体選択部１または主被写体選択部２により上記複数の測距値の中で最も主被写体であるとされる演算結果を１つ選択している。上記主被写体選択部１及び２は、自分撮影モードスイッチ７の状態により、該スイッチがＯＦＦ状態の時（通常の撮影モード）は主被写体選択部１を、ＯＮ状態の時（自分撮影モード）は主被写体選択部２を主被写体選択切り替えスイッチ３８により切り替えている。
【００３９】
ＣＰＵ１は投光素子３１、投光駆動部３９、受光素子３４、測距演算部３５、主被写体選択部切り替えスイッチ３８、並びに主被写体選択部１、２である３６、３７のそれぞれの動作を制御している。
【００４０】
図４は図３で説明した測距部２の動作を説明したフローチャートである。
【００４１】
図４においてステップ４０１では投光部３１ｂと受光部３４ｂの組み合わせで測距（中央測距）を行い、続いて投光部３１ｃと受光部３４ｃの組み合わせで測距を行い（左測距）、ステップ４０３で残る投光部３１ａと受光部３４ａの組み合えで測距を行う（右測距）。ここで行われた測距については三角測量の原理をもとにした周知のアクティブ型の測距であるため、これに関する詳細の説明は省略する。
【００４２】
次にステップ４０４では自分撮影モードスイッチ７の状態を検出しており、この状態がＯＦＦの時（ｆｌａｇ：０つまり通常撮影モード）は、主被写体選択部切り替えスイッチ３８を主被写体選択部１に設定して測距演算部３５で得られた複数の測距値のうち主被写体である測距値を選択（ステップ４０５）し、測距動作を終了する。この選択方法は前述した図７にあるような測距値（距離）に対する主被写体である確率により、それぞれの測距点における上記確率を比較し、該値が最大となる測距点の測距値を主被写体までの距離情報としている。図７のようなデータは例えばテーブル化して主被写体選択部１に持っておく。
【００４３】
又、図７のデータの推移はこれに因らず、カメラの撮影光学系や測距系の仕様によってデータの推移は異なるものである。
【００４４】
一方自分撮影モードスイッチ７の状態がＯＮの時（ｆｌａｇ：１つまり自分撮影モード）は、主被写体選択部切り替えスイッチ３８を主被写体選択部２に設定して測距演算部３５で得られた複数の測距値のうち主被写体である測距値を選択（ステップ４０６）し、測距動作を終了する。
【００４５】
この選択方法の一例としては、各測距点の測距値のうち最も近距離の値を主被写体までの距離とするものが考えられる。尚、この時には全ての測距点の測距値が撮影者の腕の長さより充分遠い距離である場合は、各測距点の測距値を選択せずに所定値を主被写体までの距離とする。該所定値は例えば一般的な子供から大人までの腕の長さの範囲における略中間の距離に設定する。
【００４６】
また上記のような近距離値を優先する手法の他に、図７とは異なる各測距値（距離）に対する主被写体である確率をあらかじめ設定しておき、それぞれの測距点における上記確率を比較し、該値が最大となる測距点の測距値を主被写体までの距離情報としている。該測距点に対する主被写体である確率の一例を図９に挙げる。図７と図９との大きな違いは、１．３ｍ付近より遠い測距値になると主被写体である確率が０となり、該０となった確率に該当する測距値は主被写体として選択しないようにしているところである。もし全ての測距点において、それぞれの測距値に対する主被写体である確率が０である場合は、所定値を主被写体までの距離とする。該所定値は例えば一般的な子供から大人までの腕の長さの範囲における略中間の距離に設定する。図９のようなデータは通常測距モード時と同様にテーブル化して主被写体選択部２に持っておく。
【００４７】
尚、図９のデータの推移についても図７と同様にこれに因らず、カメラの撮影光学系や測距系の仕様によってデータの推移は異なるものである。
【図面の簡単な説明】
【００４８】
【図１】本実施例に係るカメラの構成を説明したブロック図である。
【図２】本実施例に係るカメラの動作を説明したフローチャートである。
【図３】本実施例に係るカメラの測距部の構成を説明したブロック図である。
【図４】本実施例に係るカメラの測距部の動作を説明したフローチャートである。
【図５】従来例に係る多点測距装置の構成を説明したブロック図である。
【図６】従来例に係る多点測距装置の動作を説明したフローチャートである。
【図７】従来例に係る多点測距装置の主被写体選択のための基準データ、または本実施例に係る通常撮影時の測距部の主被写体選択のための基準データをグラフ化したものである。
【図８】自分撮影モード時における多点測距の測距点の一部が背景に抜けた時の一例を説明した図である。
【図９】本実施例に係る自分撮影モード時の測距部の主被写体選択のための基準データをグラフ化したものである。
【符号の説明】
【００４９】
１、５８  ＣＰＵ
２  測光部
３  測距部
４  レンズ駆動部
５  フィルム駆動部
６  レリーズスイッチ
７  自分撮影モードスイッチ
３１、５１  発光素子部
３２、５２  投光用レンズ
３３、５３  受光用レンズ
３４、５４  受光素子
３５、５５  測距演算部
３６  主被写体選択部１
３７  主被写体選択部２
３８  主被写体選択切り替えスイッチ
３９、５７  投光駆動部
５６  主被写体選択部
【図１】
2010066453.tif 000003
【図２】
2010066453.tif 000004
【図３】
2010066453.tif 000005
【図４】
2010066453.tif 000006
【図５】
2010066453.tif 000007
【図６】
2010066453.tif 000008
【図７】
2010066453.tif 000009
【図８】
2010066453.tif 000010
【図９】
2010066453.tif 000011